(57)【要約】【課題】  板金加工工場等における残材、製品用板材の取り扱いを容易、かつ、安全に行えるようにする。【解決手段】  略水平位置において板状体を載置可能とし、かつ、斜めもしくは略垂直位置において板状体を保持可能とするように構成された板状体の設置手段２と、設置手段２を略水平位置と斜め位置もしくは略垂直位置とに変位させる変位手段と、当該装置を移動させるための移動手段１８とを備えてなる板状体の取り扱い装置。【選択図】  図１
2007061898.tif 000002
【特許請求の範囲】
【請求項１】
略水平位置において板状体を載置可能とし、かつ、斜めもしくは略垂直位置において板状体を保持可能とするように構成された板状体の設置手段と、
前記設置手段を略水平位置と斜め位置もしくは略垂直位置とに変位させる変位手段と、
当該装置を移動させるための移動手段と、
を備えてなることを特徴とする板状体の取り扱い装置。
【発明の詳細な説明】
【技術分野】
【０００１】  この発明は、板金加工工場等において使用される板状体の取り扱い装置に関する。
【背景技術】
【０００２】  板金加工工場では、最初の工程において板金基材から必要な部分をプレス加工により切り抜き、その残材は小さく裁断して廃棄したり、また、利用できる場合その残材をさらに裁断、プレス加工工程に移送する。
【発明の開示】
【発明が解決しようとする課題】
【０００３】  上記の残材は、元の基材の外形寸法（例えば９０ｃｍ×１８０ｃｍ）を維持しているのでその外形が大きく、したがってそれら残材を取り扱うのには少なくとも２人以上の作業者が必要となって作業性が悪く、また、取り扱いを誤ると怪我をするという安全面における問題点があった。なお、始めのプレス加工により切り抜かれた製品用板材が大きい形態である場合にもその取り扱いに際し同様の問題が発生した。【０００４】  この発明は上記の事情に鑑みて行なったもので、板金加工工場等における残材、製品用板材の取り扱いを容易、かつ、安全に行えるようにすることを目的とする。【０００５】  さらには、板金加工工場等における各種板材の保管、移動、作業用として好適に使用される装置を提供することを目的とする。
【課題を解決するための手段】
【０００６】  この発明では、略水平位置において板状体を載置可能とし、かつ、斜めもしくは略垂直位置において板状体を保持可能とするように構成された板状体の設置手段と、前記設置手段を略水平位置と斜め位置もしくは略垂直位置とに変位させる変位手段と、当該装置を移動させるための移動手段とを備えてなることを特徴とする板状体の取り扱い装置を提供する。【０００７】  この発明の装置によれば、斜めもしくは略垂直位置における設置手段に板状体を保持させ、その状態において移動手段により該装置を所望位置まで移動し、その位置で変位手段により設置手段を略水平位置に変位し、板状体を水平の状態として他の加工機械等に供給可能な状態とできる。上記の板状体の移動、変位は一人の作業者により可能となり、また、あまり板状体に触れることなく作業が行えることで怪我の発生も防止される。
【発明の効果】
【０００８】  この発明によれば、板状体の移動、変位が一人の作業者により可能となるとともに板状体に触れることなくその作業が行えるようになるので、これにより、板金加工工場等における残材等の取り扱いの作業性、安全性をともに向上できるようになる。
【発明の実施をするための最良の形態】
【０００９】  図１はこの発明の板状体の取り扱い装置の実施形態の外観斜視図である。
【００１０】  板状体の取り扱い装置１は、板状体の設置プレート（設置手段）２と、その設置プレート２を支持する支持台３とからなる。設置プレート２は鉄板よりなり平面形状が１２０ｃｍ×２１０ｃｍの長方形で、９０ｃｍ×１８０ｃｍの板材が余裕を待って載置できる大きさとされている。載置プレート２の一方の長手方向の縁部面に沿っては鉄製の中空状の枠体５が溶接により固着されている。
【００１１】  設置プレート２は、短手方向の両側縁の略中央位置において回動可能に軸支されて支持台３に取り付けられ、このように回動可能に設けられていることで設置プレート２は、図２に示すように、回動されて斜め位置とされることが可能とされている。この設置プレート２の支持台３への回動可能な軸支構造が変位手段を構成する。
【００１２】  ７はその回動動作を補助する補助機構であり、作動連結具８と鉄製のガイド溝１５が設けられたガイドレバー９とからなる。作動連結具８はシリンダー部１０とその内部から加圧により弾力的に延び出し可能に設けられるロッド部１１とからなり、ロッド部１１の一端が設置プレート２の枠体５が設けられた側の端部に付設された連結片１３に回動可能に軸支され、シリンダー部１０の上端が支持台３の垂直片１４の途中部に回動可能に軸支されて取り付けられている。ガイドレバー９はその一端がロッド部１１の端部とともに設置プレート２の連結片１３に回動可能に軸支され、逆端側はガイド溝１５にシリンダー部１０の上端の支持台３への軸支部１６が移動可能に差し入れられることで支持されている。この作動連結具８は、図には現れないが、装置１の逆側にも取り付けられており、この一対の作動連結具８それぞれにより設置プレート２の回動がスムーズに安定して行われるようになっている。
【００１３】  １８のそれぞれは装置１の移動用のキャスター（移動手段）であり、支持台３の下面の４隅位置に取り付けられている。
【００１４】  以下、装置１の使用について説明する中で、装置１のさらなる構成とその動作、作用について述べる。板金工場において始めのプレス工程で主要必要箇所が打ち抜かれた板状の残材は、装置１が図２示す状態、すなわち、設置プレート２が斜め位置とされた状態において、枠体５上に載せられて設置プレート２面に沿って立てかけられて装置１に保管される。この状態においては、補助機構７も傾斜状態に位置し、作動連結具８のロッド部１１はほぼシリンダー部１０内に納まっている。また、この状態においては、図３に示すように、シリンダー部１２の軸支部１６がガイドプレート９のガイド溝１５の下端に設けられたロック部１９内に入って係止され、軸支部１６が係止固定されることで設置プレート２は傾斜する状態に固定維持される。
【００１５】  装置１に複数枚の残材が上記のようして保管された段階において、それらを廃棄や再利用のために裁断機やプレス加工機に供給する場合は、図２に示す状態において装置１を押してそれら加工機械位置までキャスター１８の回動により移動させる。そして、加工機械に対する所定の位置において設置プレート２を図１に示すように水平にし、その設置プレート２上から加工機械に残材を供給する。
【００１６】  なお、上記残材の保管、移動を水平方向として行うと広い保管スペース、移動スペースが必要となり、工場スペースの利用効率が悪くなるので残材を立てかけた状態として保管、移動し、これに対し加工機械への残材の供給方向は通常水平方向となるので、その間に残材の方向変換作業が必要となる。
【００１７】  上記において、設置プレート２を水平にするには  設置プレート２が傾斜する状態において、ガイドレバー９を図２において矢印Ａ方向に少し引くと、シリンダー部１０の軸支部１６が図３において矢印Ｂ方向にスライド移動してガイド溝１５のロック部１９から外れ、次に作動連結具８においてシリンダー部１０からロッド部１１が設定される圧により突出されることでシリンダー部１０の軸支部１６がガイド溝１５に沿って他端側に進み、この動作に伴って設置プレート２は回動して水平となる。２０のそれぞれはロック片であり、設置プレート２が水平になった際には合わされたロック片２０のロック穴２１にロックピン２２が嵌められてその水平状態が維持されるようになっている。
【００１８】  上記の設置プレート２の水平方向への回動変位に際しては、設置プレート２にその長手方向において若干の捻れが発生し、捻じれが発生すると設置プレート２の両端の回動量に差が生じることとなって、全体としてスムーズな回転が行われなくなる。このような問題を解消するように、載置プレート２の長手方向の縁部面に沿って鉄製の中空状の枠体５を溶接により固着して設置プレート２を補強することで捻じれの発生を防止しており、かつ、その枠体５は設置プレート２が傾斜時の残材１の載置部に兼用しているものである。
【００１９】  設置プレート２を水平状態から傾斜状態にするには、ロックピン２２を外し、設置プレート２の側位置に設けられた把手２５を持って設置プレート２をロッド部１１の突出圧力に抗して回転させることにより行う。設置プレート２を完全に傾斜させた状態においては、ガイドレバー９がその自重により図２における矢印Ａ方向と逆方向に移動し、これにより、シリンダー部１０の軸支部１６が図３における矢印Ｂ方向と逆方向にスライド移動してガイド溝１５のロック部１９に入り込む。
【００２０】  上記した、装置１に納められた残材を他の加工機械に供給するまでの作業が、この装置１を用いることで全て一人の作業者により可能となるものである。すなわち、従来の場合は、プレス処理後に溜められた残材を運び、また、その残材の方向変換作業等に少なくとも二人の作業者を要したが、この装置１を使用することで、その作業が一人で、かつ、安全に行われるようになる。始めのプレス加工により得られる製品用板材が大きい形態の場合も、この装置１を用いることで同様に作業が行われる。
【００２２】  また、この装置１は設置プレート２を水平とする状態においては単なる作業台として有用に使用できるものである。
【図面の簡単な説明】
【図１】  この発明の板状体の取り扱い装置の実施形態の外観斜視図
【図２】  この発明の板状体の取り扱い装置の実施形態の図１とは異なる形態の外観斜視図
【図３】  この発明の板状体の取り扱い装置の実施形態の要部拡大説明図
【符号の説明】
１  板状体の取り扱い装置
２  設置プレート（設置手段）
７  補助機構
８  作動連結具
１８  キャスター（移動手段）
【図１】
2007061898.tif 000003
【図２】
2007061898.tif 000004
【図３】
2007061898.tif 000005